(57)【要約】【課題】コストを低減し、ハッカー盗聴を防ぎセキュリティを確保する。【解決手段】ネットワーク１０１と無線で接続される携帯無線端末１０２で建物１０５のドアの施錠を行う施錠システムに、建物の内に位置しネットワークに有線で接続され携帯無線端末からのアクセスに対して暗証番号の入力を要求し、入力した暗証番号の認証に基づいて携帯無線端末のアクセスを許可するサーバと、サーバのアクセスの許可で１  ｔｉｍｅ  ｐａｓｓｗｏｒｄを発生し保持する発生・保持部１０９と、発生・保持部１０９で発生し、ネットワークを介して携帯無線端末に通知された１  ｔｉｍｅ  ｐａｓｓｗｏｒｄを保持する保持部１０４と、保持部１０４の１  ｔｉｍｅ  ｐａｓｓｗｏｒｄを赤外線で送信する赤外線ポート１０３と、携帯無線端末から赤外線ポートを介して赤外線で受信した１  ｔｉｍｅ  ｐａｓｓｗｏｒｄと保持部１０４の１  ｔｉｍｅ  ｐａｓｓｗｏｒｄとを比較して認証し建物のドアの開錠を行う赤外線ドアロック１０７とを備える。【選択図】  図１
2004293148.tif 000002
【特許請求の範囲】
【請求項１】
通信ネットワークと無線で接続される携帯無線端末で建物のドアの施錠を行う施錠システムにおいて、
前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、
前記サーバのアクセスの許可で１  ｔｉｍｅ  ｐａｓｓｗｏｒｄを発生し保持する１  ｔｉｍｅ  ｐａｓｓｗｏｒｄ発生・保持部と、
前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、
前記１  ｔｉｍｅ  ｐａｓｓｗｏｒｄ保持部に保持された１  ｔｉｍｅ  ｐａｓｓｗｏｒｄを赤外線通信で送信する赤外線ポートと、
前記携帯無線端末から前記赤外線ポートを介して赤外線通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行う赤外線ドアロックとを備えることを特徴とする施錠システム。
【請求項２】
前記サーバで前記携帯無線端末のアクセスを許可する際に前記赤外線ドアロックの電源を投入することを特徴とする、請求項１に記載の施錠システム。
【請求項３】
通信ネットワークと無線で接続される携帯無線端末で建物のドアの施錠を行う施錠システムにおいて、
前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、
前記サーバのアクセスの許可で１  ｔｉｍｅ  ｐａｓｓｗｏｒｄを発生し保持する１  ｔｉｍｅ  ｐａｓｓｗｏｒｄ発生・保持部と、
前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、
前記１  ｔｉｍｅ  ｐａｓｓｗｏｒｄ保持部に保持された１  ｔｉｍｅ  ｐａｓｓｗｏｒｄをＢｌｕｅｔｏｏｔｈ通信で送信するＢｌｕｅｔｏｏｔｈポートと、
前記携帯無線端末から前記Ｂｌｕｅｔｏｏｔｈポートを介してＢｌｕｅｔｏｏｔｈ通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行うＢｌｕｅｔｏｏｔｈドアロックとを備えることを特徴とする施錠システム。
【請求項４】
通信ネットワークと無線で接続される携帯無線端末で建物のドアの施錠を行う施錠システムにおいて、
前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、
前記赤外線ポートからのアクセスの赤外線通信に対して前記携帯無線端末の暗証番号の入力を要求し、入力した暗証番号の認証に基づいて前記携帯無線端末のアクセスを許可し、アクセスを許可した前記携帯無線端末から前記赤外線ポートを介して赤外線通信で１  ｔｉｍｅ  ｐａｓｓｗｏｒｄを受信し、受信した１  ｔｉｍｅ  ｐａｓｓｗｏｒｄを認証して前記建物のドアの開錠を行う赤外線ドアロックと、
前記赤外線ドアロックのアクセスの許可で１  ｔｉｍｅ  ｐａｓｓｗｏｒｄを発生し保持し、前記保持した前記１  ｔｉｍｅ  ｐａｓｓｗｏｒｄと前記赤外線ドアロックから受信した前記１  ｔｉｍｅ  ｐａｓｓｗｏｒｄとを比較して赤外線ドアロックに認証させるための１  ｔｉｍｅ  ｐａｓｓｗｏｒｄ発生・保持部と、
前記１  ｔｉｍｅ  ｐａｓｓｗｏｒｄ発生・保持部で発生した前記１  ｔｉｍｅ  ｐａｓｓｗｏｒｄを、前記赤外線ドアロックから前記赤外線ポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記赤外線ポートから行わせるための１  ｔｉｍｅ  ｐａｓｓｗｏｒｄ保持部とを備えることを特徴とする施錠システム。
【請求項５】
通信ネットワークと無線で接続される携帯無線端末で建物のドアの施錠を行う施錠システムにおいて、
前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、
前記ＢｌｕｅｔｏｏｔｈポートからのアクセスのＢｌｕｅｔｏｏｔｈ通信に対して前記携帯無線端末の暗証番号の入力を要求し、入力した暗証番号の認証に基づいて前記携帯無線端末のアクセスを許可し、アクセスを許可した前記携帯無線端末から前記Ｂｌｕｅｔｏｏｔｈポートを介してＢｌｕｅｔｏｏｔｈ通信で１  ｔｉｍｅ  ｐａｓｓｗｏｒｄを受信し、受信した１  ｔｉｍｅ  ｐａｓｓｗｏｒｄを認証して前記建物のドアの開錠を行うＢｌｕｅｔｏｏｔｈドアロックと、
前記Ｂｌｕｅｔｏｏｔｈドアロックのアクセスの許可で１  ｔｉｍｅ  ｐａｓｓｗｏｒｄを発生し保持し、前記保持した前記１  ｔｉｍｅ  ｐａｓｓｗｏｒｄと前記Ｂｌｕｅｔｏｏｔｈドアロックから受信した前記１  ｔｉｍｅ  ｐａｓｓｗｏｒｄとを比較してＢｌｕｅｔｏｏｔｈドアロックに認証させるための１  ｔｉｍｅ  ｐａｓｓｗｏｒｄ発生・保持部と、
前記１  ｔｉｍｅ  ｐａｓｓｗｏｒｄ発生・保持部で発生した前記１  ｔｉｍｅ  ｐａｓｓｗｏｒｄを、前記Ｂｌｕｅｔｏｏｔｈドアロックから前記Ｂｌｕｅｔｏｏｔｈポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記Ｂｌｕｅｔｏｏｔｈポートから行わせるための１  ｔｉｍｅ  ｐａｓｓｗｏｒｄ保持部とを備えることを特徴とする施錠システム。
【請求項６】
通信ネットワークと無線で接続される携帯無線端末で建物のドアの施錠を行う施錠システムにおいて、
前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、
前記赤外線ポートからのアクセスの赤外線通信に対して前記携帯無線端末の暗証番号の入力を要求し、入力した暗証番号の認証に基づいて前記携帯無線端末のアクセスを許可し、アクセスを許可した前記携帯無線端末から前記赤外線ポートを介して赤外線通信で１  ｔｉｍｅ  ｐａｓｓｗｏｒｄを受信し、受信した１  ｔｉｍｅ  ｐａｓｓｗｏｒｄを認証して前記建物のドアの開錠を行う赤外線ドアロックと、
前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、
前記赤外線ドアロック又は前記サーバのアクセスの許可で１  ｔｉｍｅ  ｐａｓｓｗｏｒｄを発生し保持し、前記保持した前記１  ｔｉｍｅ  ｐａｓｓｗｏｒｄと前記赤外線ドアロックから受信した前記１  ｔｉｍｅ  ｐａｓｓｗｏｒｄとを比較して赤外線ドアロックに認証させるための１  ｔｉｍｅ  ｐａｓｓｗｏｒｄ発生・保持部と、
前記１  ｔｉｍｅ  ｐａｓｓｗｏｒｄ発生・保持部で発生した前記１  ｔｉｍｅ  ｐａｓｓｗｏｒｄを、前記赤外線ドアロックから前記赤外線ポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記赤外線ポートから行わせるための１  ｔｉｍｅ  ｐａｓｓｗｏｒｄ保持部とを備えることを特徴とする施錠システム。
【請求項７】
通信ネットワークと無線で接続される携帯無線端末で建物のドアの施錠を行う施錠システムにおいて、
前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、
前記ＢｌｕｅｔｏｏｔｈポートからのアクセスのＢｌｕｅｔｏｏｔｈ通信に対して前記携帯無線端末の暗証番号の入力を要求し、入力した暗証番号の認証に基づいて前記携帯無線端末のアクセスを許可し、アクセスを許可した前記携帯無線端末から前記Ｂｌｕｅｔｏｏｔｈポートを介してＢｌｕｅｔｏｏｔｈ通信で１  ｔｉｍｅ  ｐａｓｓｗｏｒｄを受信し、受信した１  ｔｉｍｅ  ｐａｓｓｗｏｒｄを認証して前記建物のドアの開錠を行うＢｌｕｅｔｏｏｔｈドアロックと、
前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、
前記Ｂｌｕｅｔｏｏｔｈドアロック又は前記サーバのアクセスの許可で１  ｔｉｍｅ  ｐａｓｓｗｏｒｄを発生し保持し、前記保持した前記１  ｔｉｍｅ  ｐａｓｓｗｏｒｄと前記Ｂｌｕｅｔｏｏｔｈドアロックから受信した前記１  ｔｉｍｅ  ｐａｓｓｗｏｒｄとを比較してＢｌｕｅｔｏｏｔｈドアロックに認証させるための１  ｔｉｍｅ  ｐａｓｓｗｏｒｄ発生・保持部と、
前記１  ｔｉｍｅ  ｐａｓｓｗｏｒｄ発生・保持部で発生した前記１  ｔｉｍｅ  ｐａｓｓｗｏｒｄを、前記Ｂｌｕｅｔｏｏｔｈドアロックから前記Ｂｌｕｅｔｏｏｔｈポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記Ｂｌｕｅｔｏｏｔｈポートから行わせるための１  ｔｉｍｅ  ｐａｓｓｗｏｒｄ保持部とを備えることを特徴とする施錠システム。
【請求項８】
通信ネットワークと無線で接続される携帯無線端末で建物のドアの施錠を行う施錠システムにおいて、
前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、
前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、
前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、
前記サーバのアクセスの許可で１  ｔｉｍｅ  ｐａｓｓｗｏｒｄを発生し保持する１  ｔｉｍｅ  ｐａｓｓｗｏｒｄ発生・保持部と、
前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、
前記携帯無線端末から前記赤外線ポートを介して赤外線通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行う赤外線ドアロックとを備えることを特徴とする施錠システム。
【請求項９】
通信ネットワークと無線で接続される携帯無線端末で建物のドアの施錠を行う施錠システムにおいて、
前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、
前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、
前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、
前記サーバのアクセスの許可で１  ｔｉｍｅ  ｐａｓｓｗｏｒｄを発生し保持する１  ｔｉｍｅ  ｐａｓｓｗｏｒｄ発生・保持部と、
前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、
前記携帯無線端末から前記Ｂｌｕｅｔｏｏｔｈポートを介してＢｌｕｅｔｏｏｔｈ通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行うＢｌｕｅｔｏｏｔｈドアロックとを備えることを特徴とする施錠システム。
【請求項１０】
通信ネットワークと無線で接続される携帯無線端末で建物のドアの施錠を行う施錠システムにおいて、
前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、
前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、
前記赤外線ポートからのアクセスの赤外線通信に対して前記携帯無線端末の暗証番号の入力を要求し、入力した暗証番号の認証に基づいて前記携帯無線端末のアクセスを許可し、アクセスを許可した前記携帯無線端末から前記赤外線ポートを介して赤外線通信で１  ｔｉｍｅ  ｐａｓｓｗｏｒｄを受信し、受信した１  ｔｉｍｅ  ｐａｓｓｗｏｒｄを認証して前記建物のドアの開錠を行う赤外線ドアロックと、
前記赤外線ドアロックのアクセスの許可で１  ｔｉｍｅ  ｐａｓｓｗｏｒｄを発生し保持し、前記保持した前記１  ｔｉｍｅ  ｐａｓｓｗｏｒｄと前記赤外線ドアロックから受信した前記１  ｔｉｍｅ  ｐａｓｓｗｏｒｄとを比較して赤外線ドアロックに認証させるための１  ｔｉｍｅ  ｐａｓｓｗｏｒｄ発生・保持部と、
前記１  ｔｉｍｅ  ｐａｓｓｗｏｒｄ発生・保持部で発生した前記１  ｔｉｍｅ  ｐａｓｓｗｏｒｄを、前記赤外線ドアロックから前記赤外線ポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記赤外線ポートから行わせるための１  ｔｉｍｅ  ｐａｓｓｗｏｒｄ保持部とを備えることを特徴とする施錠システム。
【請求項１１】
通信ネットワークと無線で接続される携帯無線端末で建物のドアの施錠を行う施錠システムにおいて、
前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、
前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、
前記ＢｌｕｅｔｏｏｔｈポートからのアクセスのＢｌｕｅｔｏｏｔｈ通信に対して前記携帯無線端末の暗証番号の入力を要求し、入力した暗証番号の認証に基づいて前記携帯無線端末のアクセスを許可し、アクセスを許可した前記携帯無線端末から前記Ｂｌｕｅｔｏｏｔｈポートを介してＢｌｕｅｔｏｏｔｈ通信で１  ｔｉｍｅ  ｐａｓｓｗｏｒｄを受信し、受信した１  ｔｉｍｅ  ｐａｓｓｗｏｒｄを認証して前記建物のドアの開錠を行うＢｌｕｅｔｏｏｔｈドアロックと、
前記Ｂｌｕｅｔｏｏｔｈドアロックのアクセスの許可で１  ｔｉｍｅ  ｐａｓｓｗｏｒｄを発生し保持し、前記保持した前記１  ｔｉｍｅ  ｐａｓｓｗｏｒｄと前記Ｂｌｕｅｔｏｏｔｈドアロックから受信した前記１  ｔｉｍｅ  ｐａｓｓｗｏｒｄとを比較してＢｌｕｅｔｏｏｔｈドアロックに認証させるための１  ｔｉｍｅ  ｐａｓｓｗｏｒｄ発生・保持部と、
前記１  ｔｉｍｅ  ｐａｓｓｗｏｒｄ発生・保持部で発生した前記１  ｔｉｍｅ  ｐａｓｓｗｏｒｄを、前記Ｂｌｕｅｔｏｏｔｈドアロックから前記Ｂｌｕｅｔｏｏｔｈポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記Ｂｌｕｅｔｏｏｔｈポートから行わせるための１  ｔｉｍｅ  ｐａｓｓｗｏｒｄ保持部とを備えることを特徴とする施錠システム。
【請求項１２】
通信ネットワークと無線で接続される携帯無線端末で建物のドアの施錠を行う施錠システムの開錠方法において、
前記建物の内に位置し通信ネットワークに有線で接続されるサーバに前記携帯無線端末からアクセスする工程と、
前記アクセスに対して前記サーバから前記携帯無線端末に対して暗証番号の入力を要求する工程と、
前記要求に対して前記携帯無線端末から入力した暗証番号の認証に基づいて前記携帯無線端末から前記サーバにアクセスする許可を行う工程と、
前記サーバのアクセスの許可時に１  ｔｉｍｅ  ｐａｓｓｗｏｒｄを前記建物内で発生し保持する工程と、
発生した前記１  ｔｉｍｅ  ｐａｓｓｗｏｒｄを、前記通信ネットワークを介して前記携帯無線端末に通知する工程と、
通知された１  ｔｉｍｅ  ｐａｓｓｗｏｒｄを前記携帯無線端末で保持する工程と、
保持された前記１  ｔｉｍｅ  ｐａｓｓｗｏｒｄを前記携帯無線端末から赤外線通信で送信する工程と、
前記携帯無線端末から赤外線通信で受信した１  ｔｉｍｅ  ｐａｓｓｗｏｒｄと前記建物内に保持されている１  ｔｉｍｅ  ｐａｓｓｗｏｒｄとを比較して認証し前記建物のドアの開錠を行う工程とを備えることを特徴とする施錠システムの開錠方法。
【発明の詳細な説明】
【０００１】
【発明が属する技術分野】
本発明は赤外線通信、Ｂｌｕｅｔｏｏｔｈ通信を利用した施錠システムに関する。特に、本発明は、不正アクセスを防御しかつコストの低減を可能にする開錠方法に関する。
【０００２】
【従来の技術】
従来の赤外線通信を利用したドアロック開閉システム（例えば、特許文献１参照。）を以下に説明する。
図１５は従来のドアロック開閉システムを示すブロック図である。本図に示すように、携帯情報通信端末に設けられたドアロック開閉専用ボタンを押すと、ドアロック開閉処理をスタートさせる信号がＣＰＵに送られる実行信号送信処理が行われる。
【０００３】
実行信号送信処理により、ＲＯＭ内のドアロック開閉プログラムをＲＡＭのワークエリアに移し、プログラムを実行するドアロック開閉プログラム読み込み処理を行う。
ドアロック開閉プログラムはＲＡＭ内の鍵データエリア内の鍵データから順に読みだし、ｎ種類の送信データを順に送受信部に送る処理である鍵データ送信処理を行う。
【０００４】
鍵データは記憶データのように、“０”  “１”で記憶されている。
鍵データを受けた送受信部は、記憶データが１のときのみ赤外線を発光させるデータをドアロック開閉装置に送信する。
鍵データの送信処理は、ドアロック開閉専用ボタンを押し続けている間処理が続く。
【０００５】
ドアロック開閉専用ボタンを押しているかどうかを判断するのが実行信号確認処理であり、実行信号がある場合は、鍵データ送信処理を続け、無い場合に処理を終了する。
しかしながら、上記従来技術では、携帯情報通信端末にドアロック開閉専用ボタンを用意する必要があり、コストがかかっているという問題がある。
【０００６】
しかも、ドアロック開閉専用ボタンをなくすと、セキュリティが著しく低下することになる。
次に、従来のキーレスエントリーシステムでは携帯型無線リモコン機と車内制御部とにＢｌｕｅｔｏｏｔｈが搭載されると共に、さらに、Ｂｌｕｅｔｏｏｔｈを搭載した１つ以上の車内回線中継機を備え、携帯型無線リモコン機と車内制御部との間に直接に及び車内回線中継機を介して互いに独立した複数のＢｌｕｅｔｏｏｔｈ回線が形成されるようにし、使用する回線を使用する毎に変更して携帯型無線リモコン機と車内制御部との間で指令信号及び応答信号の送受をするため、使用している回線がハッカーに盗聴され難くできると共に、盗聴されても回線は直ぐに変更されるため指令信号や応答信号等の技術データが全て盗まれることを防止できるようにしている。（例えば、特許文献２参照。）。
【０００７】
しかしながら、上記従来技術では、車内回線中継機を介して互いに独立した複数のＢｌｕｅｔｏｏｔｈ回線が形成されるようにしているので、キーレスエントリーシステムのコストがかかっているという問題がある。
しかも、複数のＢｌｕｅｔｏｏｔｈ回線をなくすと、セキュリティが著しく低下することになる。
【０００８】
【特許文献１】
特開２０００−１２９９７８号公報（段落００１８、００１９、図１、図４）
【特許文献２】
特開２００２−２７６２２１号公報（段落００１４〜００１７  図２）
【０００９】
【発明が解決しようとする課題】
したがって、本発明は上記問題点に鑑みて、コストを低減できかつハッカーに盗聴され難くセキュリティを確保できる施錠システム及びその開錠方法を提供する。
【００１０】
【課題を解決するための手段】
本発明は前記問題点を解決するために、通信ネットワークと無線で接続される携帯無線端末で建物のドアの施錠を行う施錠システムにおいて、前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、前記サーバのアクセスの許可で１  ｔｉｍｅ  ｐａｓｓｗｏｒｄを発生し保持する１  ｔｉｍｅ  ｐａｓｓｗｏｒｄ発生・保持部と、前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、前記１  ｔｉｍｅ  ｐａｓｓｗｏｒｄ保持部に保持された１  ｔｉｍｅ  ｐａｓｓｗｏｒｄを赤外線通信で送信する赤外線ポートと、前記携帯無線端末から前記赤外線ポートを介して赤外線通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行う赤外線ドアロックとを備えることを特徴とする施錠システムを提供する。
【００１１】
この手段により、開錠するためのｐａｓｓｗｏｒｄが施錠毎に変わり、第３者の不正アクセスが回避できるので、赤外線通信を利用した施錠システムに対して不正なアクセスを防御しつつ汎用な赤外線通信システムを利用することでコストを下げることができる。
さらに、前記サーバで前記携帯無線端末のアクセスを許可する際に前記赤外線ドアロックの電源を投入する。
【００１２】
この手段により、アクセスを許可してから赤外線ドアロックの電源を投入するので、第３者の不正アクセスを避けることができる。
さらに、本発明は、通信ネットワークと無線で接続される携帯無線端末で建物のドアの施錠を行う施錠システムにおいて、前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、前記サーバのアクセスの許可で１  ｔｉｍｅ  ｐａｓｓｗｏｒｄを発生し保持する１  ｔｉｍｅ  ｐａｓｓｗｏｒｄ発生・保持部と、前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、前記１  ｔｉｍｅ  ｐａｓｓｗｏｒｄ保持部に保持された１  ｔｉｍｅ  ｐａｓｓｗｏｒｄをＢｌｕｅｔｏｏｔｈ通信で送信するＢｌｕｅｔｏｏｔｈポートと、前記携帯無線端末から前記Ｂｌｕｅｔｏｏｔｈポートを介してＢｌｕｅｔｏｏｔｈ通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行うＢｌｕｅｔｏｏｔｈドアロックとを備えることを特徴とする施錠システムを提供する。
【００１３】
この手段により、開錠するためのｐａｓｓｗｏｒｄが施錠毎に変わり、第３者の不正アクセスが回避できるので、Ｂｌｕｅｔｏｏｔｈ通信を利用した施錠システムに対して不正なアクセスを防御しつつ汎用なＢｌｕｅｔｏｏｔｈ通信システムを利用することでコストを下げることができる。
さらに、本発明は、通信ネットワークと無線で接続される携帯無線端末で建物のドアの施錠を行う施錠システムにおいて、前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、前記赤外線ポートからのアクセスの赤外線通信に対して前記携帯無線端末の暗証番号の入力を要求し、入力した暗証番号の認証に基づいて前記携帯無線端末のアクセスを許可し、アクセスを許可した前記携帯無線端末から前記赤外線ポートを介して赤外線通信で１  ｔｉｍｅ  ｐａｓｓｗｏｒｄを受信し、受信した１  ｔｉｍｅ  ｐａｓｓｗｏｒｄを認証して前記建物のドアの開錠を行う赤外線ドアロックと、前記赤外線ドアロックのアクセスの許可で１  ｔｉｍｅ  ｐａｓｓｗｏｒｄを発生し保持し、前記保持した前記１  ｔｉｍｅ  ｐａｓｓｗｏｒｄと前記赤外線ドアロックから受信した前記１  ｔｉｍｅ  ｐａｓｓｗｏｒｄとを比較して赤外線ドアロックに認証させるための１  ｔｉｍｅ  ｐａｓｓｗｏｒｄ発生・保持部と、前記１  ｔｉｍｅ  ｐａｓｓｗｏｒｄ発生・保持部で発生した前記１  ｔｉｍｅ  ｐａｓｓｗｏｒｄを、前記赤外線ドアロックから前記赤外線ポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記赤外線ポートから行わせるための１  ｔｉｍｅ  ｐａｓｓｗｏｒｄ保持部とを備えることを特徴とする施錠システムを提供する。
【００１４】
この手段により、開錠するためのｐａｓｓｗｏｒｄが施錠毎に変わり、第３者の不正アクセスが回避できるので、赤外線通信を利用した施錠システムに対して不正なアクセスを防御しつつ汎用な赤外線通信システムを利用することでコストを下げることができる。
この場合、通信ネットワークを介さないので、通信費の削減が可能になる。また、自動車の施錠の開錠にも適用可能である。
【００１５】
さらに、本発明は、通信ネットワークと無線で接続される携帯無線端末で建物のドアの施錠を行う施錠システムにおいて、前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、前記ＢｌｕｅｔｏｏｔｈポートからのアクセスのＢｌｕｅｔｏｏｔｈ通信に対して前記携帯無線端末の暗証番号の入力を要求し、入力した暗証番号の認証に基づいて前記携帯無線端末のアクセスを許可し、アクセスを許可した前記携帯無線端末から前記Ｂｌｕｅｔｏｏｔｈポートを介してＢｌｕｅｔｏｏｔｈ通信で１  ｔｉｍｅ  ｐａｓｓｗｏｒｄを受信し、受信した１  ｔｉｍｅ  ｐａｓｓｗｏｒｄを認証して前記建物のドアの開錠を行うＢｌｕｅｔｏｏｔｈドアロックと、前記Ｂｌｕｅｔｏｏｔｈドアロックのアクセスの許可で１  ｔｉｍｅ  ｐａｓｓｗｏｒｄを発生し保持し、前記保持した前記１  ｔｉｍｅ  ｐａｓｓｗｏｒｄと前記Ｂｌｕｅｔｏｏｔｈドアロックから受信した前記１  ｔｉｍｅ  ｐａｓｓｗｏｒｄとを比較してＢｌｕｅｔｏｏｔｈドアロックに認証させるための１  ｔｉｍｅｐａｓｓｗｏｒｄ発生・保持部と、前記１  ｔｉｍｅ  ｐａｓｓｗｏｒｄ発生・保持部で発生した前記１  ｔｉｍｅ  ｐａｓｓｗｏｒｄを、前記Ｂｌｕｅｔｏｏｔｈドアロックから前記Ｂｌｕｅｔｏｏｔｈポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記Ｂｌｕｅｔｏｏｔｈポートから行わせるための１  ｔｉｍｅ  ｐａｓｓｗｏｒｄ保持部とを備えることを特徴とする施錠システムを提供する。
【００１６】
この手段により、開錠するためのｐａｓｓｗｏｒｄが施錠毎に変わり、第３者の不正アクセスが回避できるので、Ｂｌｕｅｔｏｏｔｈ通信を利用した施錠システムに対して不正なアクセスを防御しつつ汎用なＢｌｕｅｔｏｏｔｈ通信システムを利用することでコストを下げることができる。
この場合、通信ネットワークを介さないので、通信費の削減が可能になる。また、自動車の施錠の開錠にも適用可能である。
【００１７】
さらに、本発明は、通信ネットワークと無線で接続される携帯無線端末で建物のドアの施錠を行う施錠システムにおいて、前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、前記赤外線ポートからのアクセスの赤外線通信に対して前記携帯無線端末の暗証番号の入力を要求し、入力した暗証番号の認証に基づいて前記携帯無線端末のアクセスを許可し、アクセスを許可した前記携帯無線端末から前記赤外線ポートを介して赤外線通信で１  ｔｉｍｅ  ｐａｓｓｗｏｒｄを受信し、受信した１  ｔｉｍｅ  ｐａｓｓｗｏｒｄを認証して前記建物のドアの開錠を行う赤外線ドアロックと、前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、前記赤外線ドアロック又は前記サーバのアクセスの許可で１  ｔｉｍｅ  ｐａｓｓｗｏｒｄを発生し保持し、前記保持した前記１  ｔｉｍｅ  ｐａｓｓｗｏｒｄと前記赤外線ドアロックから受信した前記１ｔｉｍｅ  ｐａｓｓｗｏｒｄとを比較して赤外線ドアロックに認証させるための１  ｔｉｍｅ  ｐａｓｓｗｏｒｄ発生・保持部と、前記１  ｔｉｍｅ  ｐａｓｓｗｏｒｄ発生・保持部で発生した前記１  ｔｉｍｅ  ｐａｓｓｗｏｒｄを、前記赤外線ドアロックから前記赤外線ポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記赤外線ポートから行わせるための１  ｔｉｍｅ  ｐａｓｓｗｏｒｄ保持部とを備えることを特徴とする施錠システムを提供する。
【００１８】
この手段により、選択により、通信ネットワークを介して、又は通信ネットワークを介さず直接に赤外線通信で、携帯無線端末では、建物から１  ｔｉｍｅ  ｐａｓｓｗｏｒｄを入手できるようになる。
さらに、本発明は、通信ネットワークと無線で接続される携帯無線端末で建物のドアの施錠を行う施錠システムにおいて、前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、前記ＢｌｕｅｔｏｏｔｈポートからのアクセスのＢｌｕｅｔｏｏｔｈ通信に対して前記携帯無線端末の暗証番号の入力を要求し、入力した暗証番号の認証に基づいて前記携帯無線端末のアクセスを許可し、アクセスを許可した前記携帯無線端末から前記Ｂｌｕｅｔｏｏｔｈポートを介してＢｌｕｅｔｏｏｔｈ通信で１  ｔｉｍｅ  ｐａｓｓｗｏｒｄを受信し、受信した１  ｔｉｍｅ  ｐａｓｓｗｏｒｄを認証して前記建物のドアの開錠を行うＢｌｕｅｔｏｏｔｈドアロックと、前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、前記Ｂｌｕｅｔｏｏｔｈドアロック又は前記サーバのアクセスの許可で１  ｔｉｍｅ  ｐａｓｓｗｏｒｄを発生し保持し、前記保持した前記１  ｔｉｍｅ  ｐａｓｓｗｏｒｄと前記Ｂｌｕｅｔｏｏｔｈドアロックから受信した前記１  ｔｉｍｅ  ｐａｓｓｗｏｒｄとを比較してＢｌｕｅｔｏｏｔｈドアロックに認証させるための１  ｔｉｍｅ  ｐａｓｓｗｏｒｄ発生・保持部と、前記１  ｔｉｍｅ  ｐａｓｓｗｏｒｄ発生・保持部で発生した前記１  ｔｉｍｅ  ｐａｓｓｗｏｒｄを、前記Ｂｌｕｅｔｏｏｔｈドアロックから前記Ｂｌｕｅｔｏｏｔｈポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記Ｂｌｕｅｔｏｏｔｈポートから行わせるための１  ｔｉｍｅ  ｐａｓｓｗｏｒｄ保持部とを備えることを特徴とする施錠システムを提供する。
【００１９】
この手段により、選択により、通信ネットワークを介して、又は通信ネットワークを介さず直接にＢｌｕｅｔｏｏｔｈ通信で、携帯無線端末では、建物から１
ｔｉｍｅ  ｐａｓｓｗｏｒｄを入手できるようになる。
さらに、本発明は、通信ネットワークと無線で接続される携帯無線端末で建物のドアの施錠を行う施錠システムにおいて、前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、前記サーバのアクセスの許可で１  ｔｉｍｅ  ｐａｓｓｗｏｒｄを発生し保持する１  ｔｉｍｅ  ｐａｓｓｗｏｒｄ発生・保持部と、前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、前記携帯無線端末から前記赤外線ポートを介して赤外線通信で受信した１  ｔｉｍｅ  ｐａｓｓｗｏｒｄと前記１  ｔｉｍｅ  ｐａｓｓｗｏｒｄ保持部に保持されている１  ｔｉｍｅ  ｐａｓｓｗｏｒｄとを比較して認証し前記建物のドアの開錠を行う赤外線ドアロックとを備えることを特徴とする施錠システムを提供する。
【００２０】
この手段により、１台の携帯無線端末で、携帯無線端末の選択により、通信ネットワークを介して、通信方式が異なる建物のドアの開錠が可能になる。
さらに、本発明は、通信ネットワークと無線で接続される携帯無線端末で建物のドアの施錠を行う施錠システムにおいて、前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、前記建物の内に位置し通信ネットワークに有線で接続され前記携帯無線端末からのアクセスに対して暗証番号の入力を要求し、入力した暗証番号の認証に基づいて前記携帯無線端末のアクセスを許可するサーバと、前記サーバのアクセスの許可で１  ｔｉｍｅ  ｐａｓｓｗｏｒｄを発生し保持する１  ｔｉｍｅ  ｐａｓｓｗｏｒｄ発生・保持部と、前記１  ｔｉｍｅ  ｐａｓｓｗｏｒｄ発生・保持部で発生し、前記通信ネットワークを介して前記携帯無線端末に通知された１  ｔｉｍｅ  ｐａｓｓｗｏｒｄを保持する１  ｔｉｍｅ  ｐａｓｓｗｏｒｄ保持部と、前記携帯無線端末から前記Ｂｌｕｅｔｏｏｔｈポートを介してＢｌｕｅｔｏｏｔｈ通信で受信した１  ｔｉｍｅ  ｐａｓｓｗｏｒｄと前記１  ｔｉｍｅｐａｓｓｗｏｒｄ保持部に保持されている１  ｔｉｍｅ  ｐａｓｓｗｏｒｄとを比較して認証し前記建物のドアの開錠を行うＢｌｕｅｔｏｏｔｈドアロックとを備えることを特徴とする施錠システムを提供する。
【００２１】
この手段により、１台の携帯無線端末で、携帯無線端末の選択により、通信ネットワークを介して、通信方式が異なる建物のドアの開錠が可能になる。
さらに、本発明は、通信ネットワークと無線で接続される携帯無線端末で建物のドアの施錠を行う施錠システムにおいて、前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、前記赤外線ポートからのアクセスの赤外線通信に対して前記携帯無線端末の暗証番号の入力を要求し、入力した暗証番号の認証に基づいて前記携帯無線端末のアクセスを許可し、アクセスを許可した前記携帯無線端末から前記赤外線ポートを介して赤外線通信で１  ｔｉｍｅ  ｐａｓｓｗｏｒｄを受信し、受信した１  ｔｉｍｅ  ｐａｓｓｗｏｒｄを認証して前記建物のドアの開錠を行う赤外線ドアロックと、前記赤外線ドアロックのアクセスの許可で１  ｔｉｍｅ  ｐａｓｓｗｏｒｄを発生し保持し、前記保持した前記１  ｔｉｍｅ  ｐａｓｓｗｏｒｄと前記赤外線ドアロックから受信した前記１  ｔｉｍｅ  ｐａｓｓｗｏｒｄとを比較して赤外線ドアロックに認証させるための１  ｔｉｍｅ  ｐａｓｓｗｏｒｄ発生・保持部と、前記１  ｔｉｍｅ  ｐａｓｓｗｏｒｄ発生・保持部で発生した前記１  ｔｉｍｅ  ｐａｓｓｗｏｒｄを、前記赤外線ドアロックから前記赤外線ポートを介して、前記携帯無線端末に通知された前記１  ｔｉｍｅ  ｐａｓｓｗｏｒｄを保持し、前記建物のドアの開錠を求めるとき保持された１  ｔｉｍｅｐａｓｓｗｏｒｄの送信を前記赤外線ポートから行わせるための１  ｔｉｍｅｐａｓｓｗｏｒｄ保持部とを備えることを特徴とする施錠システムを提供する。
【００２２】
この手段により、１台の携帯無線端末で、携帯無線端末の選択により、通信ネットワーク１０１を介さずに直接に、通信方式が異なる建物のドアの開錠が可能になる。
さらに、本発明は、通信ネットワークと無線で接続される携帯無線端末で建物のドアの施錠を行う施錠システムにおいて、前記携帯無線端末の内に位置し赤外線通信で、アクセスする送信を行い、前記建物のドアの開錠を求める１  ｔｉｍｅ  ｐａｓｓｗｏｒｄの送信を行う赤外線ポートと、前記携帯無線端末の内に位置しＢｌｕｅｔｏｏｔｈ通信で、アクセスする送信を行い、前記建物のドアの開錠を求める１  ｔｉｍｅ  ｐａｓｓｗｏｒｄの送信を行うＢｌｕｅｔｏｏｔｈポートと、前記ＢｌｕｅｔｏｏｔｈポートからのアクセスのＢｌｕｅｔｏｏｔｈ通信に対して前記携帯無線端末の暗証番号の入力を要求し、入力した暗証番号の認証に基づいて前記携帯無線端末のアクセスを許可し、アクセスを許可した前記携帯無線端末から前記Ｂｌｕｅｔｏｏｔｈポートを介してＢｌｕｅｔｏｏｔｈ通信で１  ｔｉｍｅ  ｐａｓｓｗｏｒｄを受信し、受信した１  ｔｉｍｅ  ｐａｓｓｗｏｒｄを認証して前記建物のドアの開錠を行うＢｌｕｅｔｏｏｔｈドアロックと、前記Ｂｌｕｅｔｏｏｔｈドアロックのアクセスの許可で１  ｔｉｍｅ  ｐａｓｓｗｏｒｄを発生し保持し、前記保持した前記１  ｔｉｍｅ  ｐａｓｓｗｏｒｄと前記Ｂｌｕｅｔｏｏｔｈドアロックから受信した前記１  ｔｉｍｅ  ｐａｓｓｗｏｒｄとを比較してＢｌｕｅｔｏｏｔｈドアロックに認証させるための１  ｔｉｍｅ  ｐａｓｓｗｏｒｄ発生・保持部と、前記１  ｔｉｍｅ  ｐａｓｓｗｏｒｄ発生・保持部で発生した前記１  ｔｉｍｅ  ｐａｓｓｗｏｒｄを、前記Ｂｌｕｅｔｏｏｔｈドアロックから前記Ｂｌｕｅｔｏｏｔｈポートを介して、前記携帯無線端末に通知された前記１  ｔｉｍｅ  ｐａｓｓｗｏｒｄを保持し、前記建物のドアの開錠を求めるとき保持された１  ｔｉｍｅ  ｐａｓｓｗｏｒｄの送信を前記Ｂｌｕｅｔｏｏｔｈポートから行わせるための１  ｔｉｍｅ  ｐａｓｓｗｏｒｄ保持部とを備えることを特徴とする施錠システムを提供する。
【００２３】
この手段により、１台の携帯無線端末で、携帯無線端末の選択により、通信ネットワーク１０１を介さずに直接に、通信方式が異なる建物のドアの開錠が可能になる。
さらに、本発明は、通信ネットワークと無線で接続される携帯無線端末で建物のドアの施錠を行う施錠システムの開錠方法において、前記建物の内に位置し通信ネットワークに有線で接続されるサーバに前記携帯無線端末からアクセスする工程と、前記アクセスに対して前記サーバから前記携帯無線端末に対して暗証番号の入力を要求する工程と、前記要求に対して前記携帯無線端末から入力した暗証番号の認証に基づいて前記携帯無線端末から前記サーバにアクセスする許可を行う工程と、前記サーバのアクセスの許可時に１  ｔｉｍｅ  ｐａｓｓｗｏｒｄを前記建物内で発生し保持する工程と、発生した前記１  ｔｉｍｅ  ｐａｓｓｗｏｒｄを、前記通信ネットワークを介して前記携帯無線端末に通知する工程と、通知された１  ｔｉｍｅ  ｐａｓｓｗｏｒｄを前記携帯無線端末で保持する工程と、保持された前記１  ｔｉｍｅ  ｐａｓｓｗｏｒｄを前記携帯無線端末から赤外線通信で送信する工程と、前記携帯無線端末から赤外線通信で受信した１  ｔｉｍｅ  ｐａｓｓｗｏｒｄと前記建物内に保持されている１  ｔｉｍｅ  ｐａｓｓｗｏｒｄとを比較して認証し前記建物のドアの開錠を行う工程とを備えることを特徴とする施錠システムの開錠方法を提供する。
【００２４】
この手段により、開錠するためのｐａｓｓｗｏｒｄが施錠毎に変わり、第３者の不正アクセスが回避できるので、赤外線通信を利用した施錠システムに対して不正なアクセスを防御しつつ汎用な赤外線通信システムを利用することでコストを下げることができる。
【００２５】
【発明の実施の形態】
以下、本発明の実施の形態について図面を参照して説明する。
図１は本発明に係る施錠システムの概略構成を示すブロック図である。本図に示すように、通信ネットワーク１０１には携帯無線端末１０２が無線で接続され、さらに、建物１０５内のサーバ１０６が有線で接続される。
【００２６】
携帯無線端末１０２には赤外線ポート（ｐｏｒｔ）１０３が設けられ、赤外線ポート１０３は赤外線通信を行う。
赤外線ポート１０３には１  ｔｉｍｅ  ｐａｓｓｗｏｒｄ保持部１０４が接続され、１  ｔｉｍｅ  ｐａｓｓｗｏｒｄ保持部１０４は建物１０５内のサーバ１０６から通知される１  ｔｉｍｅ  ｐａｓｓｗｏｒｄを保持する。
【００２７】
ここに、１  ｔｉｍｅ  ｐａｓｓｗｏｒｄは一度だけ使用可能なパスワードである。
次に、建物１０５内に設けられ、通信ネットワーク１０１と接続されるサーバ１０６は通信制御等のサービスを提供するコンピュータである。
【００２８】
さらに、建物１０５内には赤外線ドアロック１０７が設けられ、赤外線ドアロック１０７は赤外線通信で建物１０５のドア、窓等（以下ドアで代表する）を施錠、開錠する。開錠を行う場合には、特に、携帯無線端末１０２からの１  ｔｉｍｅ  ｐａｓｓｗｏｒｄを入力して、認証を行い、開錠を行う。
赤外線ドアロック１０７にはインタフェース部１０８が設けられ、インタフェース部１０８は赤外線ドアロック１０７の電源をＯＮ、ＯＦＦし、サーバ１０６に接続され、サーバ１０６から赤外線ドアロック１０７の電源をＯＮ、ＯＦＦさせる信号を入力する。
【００２９】
赤外線ドアロック１０７には１  ｔｉｍｅ  ｐａｓｓｗｏｒｄ発生・保持部１０９が接続され、１  ｔｉｍｅ  ｐａｓｓｗｏｒｄ発生・保持部１０９は１  ｔｉｍｅ  ｐａｓｓｗｏｒｄを発生し、発生した１  ｔｉｍｅ  ｐａｓｓｗｏｒｄを保持する。
携帯無線端末１０２から建物１０５内のサーバ１０６にアクセスがあると、サーバ１０６では、１  ｔｉｍｅ  ｐａｓｓｗｏｒｄ発生・保持部１０９に１  ｔｉｍｅ  ｐａｓｓｗｏｒｄを発生させ、発生した１  ｔｉｍｅ  ｐａｓｓｗｏｒｄを携帯無線端末１０２に通知する。
【００３０】
携帯無線端末１０２ではサーバ１０６から通知された１  ｔｉｍｅ  ｐａｓｓｗｏｒｄを１  ｔｉｍｅ  ｐａｓｓｗｏｒｄ保持部１０４に保持する。
図２は図１の携帯無線端末１０２にパスワードを入手させる動作例を説明するフローチャートである。
本図に示すように、ステップＳ２０１において、携帯無線端末１０２から建物１０５内のサーバ１０６にアクセスする。アクセスの方法としてはｗｅｂ形式の直接入力であったり、音声案内によるトーンを利用した方法などがある。
【００３１】
ステップＳ２０２において、サーバ１０６では暗証番号の入力を要求し、携帯無線端末１０２ではこの要求に対してサーバ１０６への暗証番号の入力が行われる。
ステップＳ２０３において、サーバ１０６では携帯無線端末１０２の暗証番号の認証を行う。暗証番号が不正であり、認証できない場合には、処理を終了する。
【００３２】
ステップＳ２０４において、認証でアクセスの許可がされた場合には、サーバ１０６では１インタフェース部１０８に赤外線ドアロック１０７の電源をＯＮにさせる。このように、アクセスを許可してから赤外線ドアロック１０７の電源を投入するので、第３者の不正アクセスを避けることができる。
ステップＳ２０５において、サーバ１０６では、１  ｔｉｍｅ  ｐａｓｓｗｏｒｄ発生・保持部１０９に対して１  ｔｉｍｅ  ｐａｓｓｗｏｒｄを発生させ、保持させる。
【００３３】
ステップＳ２０６において、サーバ１０６では、１  ｔｉｍｅ  ｐａｓｓｗｏｒｄ発生・保持部１０９から携帯無線端末１０２に１  ｔｉｍｅ  ｐａｓｓｗｏｒｄを通知する。
ステップＳ２０７において、携帯無線端末１０２では通知された１  ｔｉｍｅｐａｓｓｗｏｒｄを１  ｔｉｍｅ  ｐａｓｓｗｏｒｄ保持部１０４に保持し、この段階で上記の認証が完了する。
【００３４】
このようにして、携帯無線端末１０２では、建物１０５内のサーバ１０６から１  ｔｉｍｅ  ｐａｓｓｗｏｒｄを入手しておく。
図３は図１の携帯無線端末１０２により施錠を開錠する動作例を説明するフローチャートである。
ステップＳ２１１において、建物１０５内の赤外線ドアロック１０７の前まで来たら携帯無線端末１０２の赤外線ポート１０３と建物１０５内の赤外線ドアロック１０７とで赤外線通信を行う。
【００３５】
ステップＳ２１２において、建物１０５内の赤外線ドアロック１０７の電源がＯＮになっているか否かを判断し、ＯＦＦならば携帯無線端末１０２の処理を終了する。
ステップＳ２１３において、赤外線ドアロック１０７がＯＮである場合、建物１０５内の赤外線ドアロック１０７では、携帯無線端末１０２の１  ｔｉｍｅ  ｐａｓｓｗｏｒｄ保持部１０４から保持しているｐａｓｓｗｏｒｄを、赤外線ポート１０３を介して入力する。
【００３６】
ステップＳ２１４において、赤外線ドアロック１０７では、赤外線ポート１０３から入力したｐａｓｓｗｏｒｄを１  ｔｉｍｅ  ｐａｓｓｗｏｒｄ発生・保持部１０９に保持されているｐａｓｓｗｏｒｄと比較して認証を行う。
ステップＳ２１５において、上記認証で許可がされた場合には赤外線ドアロック１０７の施錠を開錠して処理を終了する。
ステップＳ２１６において、上記認証で、ｐａｓｓｗｏｒｄを間違えると、不許可となり、開錠が拒絶される。
【００３７】
ステップＳ２１７において、警備会社、警察へ通報する。さらに、サーバ１０５を介して携帯無線端末１０２に通報が行われる。
したがって、本発明によれば、開錠するためのｐａｓｓｗｏｒｄが施錠毎に変わり、第３者の不正アクセスが回避できるので、赤外線通信を利用した施錠システムに対して不正なアクセスを防御しつつ汎用な赤外線通信システムを利用することでコストを下げることができる。
【００３８】
図４は本発明の第１の変形例に係る施錠システムの概略構成を示すブロック図である。本図に示すように、図１と比較して、携帯無線端末１０２には赤外線ポート１０３に代わり、Ｂｌｕｅｔｏｏｔｈ  ポート（ｐｏｒｔ）１１１が設けられ、Ｂｌｕｅｔｏｏｔｈ  ポートはＢｌｕｅｔｏｏｔｈ通信を行う。
建物１０５内には赤外線ドアロック１０７、インタフェース部１０８に代わり、Ｂｌｕｅｔｏｏｔｈ  送受信部１１２、Ｂｌｕｅｔｏｏｔｈ  ドアロック１１３、Ｂｌｕｅｔｏｏｔｈ  制御部１１４が設けられる。
【００３９】
Ｂｌｕｅｔｏｏｔｈ  送受信部１１２は携帯無線端末１０２のＢｌｕｅｔｏｏｔｈ  ポート１１１とＢｌｕｅｔｏｏｔｈ通信を行う。
Ｂｌｕｅｔｏｏｔｈ  ドアロック１１３はＢｌｕｅｔｏｏｔｈ通信で建物１０５のドアを施錠、開錠する。
Ｂｌｕｅｔｏｏｔｈ  制御部１１４はＢｌｕｅｔｏｏｔｈ  送受信部１１２、Ｂｌｕｅｔｏｏｔｈ  ドアロック１１３、１  ｔｉｍｅ  ｐａｓｓｗｏｒｄ発生・保持部１０９と接続され、これらの制御を行い、さらに、サーバ１０６と接続される。
【００４０】
本発明の携帯無線端末１０２にパスワードを入手させる動作例は図２と同様であり、携帯無線端末１０２により施錠を開錠する動作例は以下に説明する。
図５は図４の携帯無線端末１０２により施錠を開錠する動作例を説明するフローチャートである。
ステップＳ２２１において、建物１０５のＢｌｕｅｔｏｏｔｈ  ドアロック１１３の前まで来たら携帯無線端末１０２のＢｌｕｅｔｏｏｔｈ  ポート１１１と建物１０５内のＢｌｕｅｔｏｏｔｈ  送受信部１１２とでＢｌｕｅｔｏｏｔｈ通信を行う。
【００４１】
ステップＳ２２２において、建物１０５内のＢｌｕｅｔｏｏｔｈ  送受信部１１２では、携帯無線端末１０２の１  ｔｉｍｅ  ｐａｓｓｗｏｒｄ保持部１０４から保持しているｐａｓｓｗｏｒｄをＢｌｕｅｔｏｏｔｈ  ポート１１１介して入力する。
ステップＳ２２３において、Ｂｌｕｅｔｏｏｔｈ  ドアロック１１３では、Ｂｌｕｅｔｏｏｔｈ  ポート１１１から入力したｐａｓｓｗｏｒｄを１  ｔｉｍｅｐａｓｓｗｏｒｄ発生・保持部１０９に保持されているｐａｓｓｗｏｒｄと比較して認証を行う。
【００４２】
ステップＳ２２４において、上記認証で許可がされた場合にはＢｌｕｅｔｏｏｔｈ  ドアロック１１３の施錠を開錠して処理を終了する。
ステップＳ２２５において、上記認証で、ｐａｓｓｗｏｒｄを間違えると、不許可となり、開錠が拒絶される。
ステップＳ２２６において、警備会社、警察へ通報する。さらに、サーバ１０５を介して携帯無線端末１０２に通報が行われる。
【００４３】
したがって、本発明によれば、開錠するためのｐａｓｓｗｏｒｄが施錠毎に変わり、第３者の不正アクセスが回避できるので、Ｂｌｕｅｔｏｏｔｈ通信を利用した施錠システムに対して不正なアクセスを防御しつつ汎用なＢｌｕｅｔｏｏｔｈ通信システムを利用することでコストを下げることができる。
図６は本発明の第２の変形例に係る施錠システムの概略構成を示すブロック図である。本図に示すように、図１と比較して、建物１０５は通信ネットワーク１０１に接続されず、このため、建物１０５内にはサーバ１０６が設けられず、サーバ１０６に対するインタフェース部１０８も設けられていない。
【００４４】
図７は図６の携帯無線端末１０２にパスワードを入手させる動作例を説明するフローチャートである。
本図に示すように、ステップＳ２３１において、携帯無線端末１０２の赤外線ポート１０３と建物１０５内の赤外線ドアロック１０７とで赤外線通信を行う。
ステップＳ２３２において、赤外線ドアロック１０７では赤外線ポート１０３に対して暗証番号の入力を要求し、赤外線ポート１０３ではこの要求に対して赤外線ドアロック１０７への暗証番号の入力が行われる。
【００４５】
ステップＳ２３３において、赤外線ドアロック１０７では携帯無線端末１０２の暗証番号の認証を行う。暗証番号が不正であり、認証できない場合には処理を終了する。
ステップＳ２３４において、認証でアクセスの許可がされた場合には、赤外線ドアロック１０７では１  ｔｉｍｅ  ｐａｓｓｗｏｒｄ発生・保持部１０９に対して１  ｔｉｍｅ  ｐａｓｓｗｏｒｄを発生させ、保持させる。
【００４６】
ステップＳ２３５において、建物１０５内の赤外線ドアロック１０７では１  ｔｉｍｅ  ｐａｓｓｗｏｒｄ発生・保持部１０９から携帯無線端末１０２の赤外線ポート１０３に１  ｔｉｍｅ  ｐａｓｓｗｏｒｄを通知する。
ステップＳ２３６において、携帯無線端末１０２では通知された１  ｔｉｍｅｐａｓｓｗｏｒｄを１  ｔｉｍｅ  ｐａｓｓｗｏｒｄ保持部１０４に保持し、この段階で上記の認証が完了する。
【００４７】
図８は図６の携帯無線端末１０２により施錠を開錠する動作例を説明するフローチャートである。
本図に示すように、ステップＳ２４１において、建物１０５内の赤外線ドアロック１０７の前まで来たら携帯無線端末１０２の赤外線ポート１０３と建物１０５内の赤外線ドアロック１０７とで赤外線通信を行う。
ステップＳ２４２において、建物１０５内の赤外線ドアロック１０７では、携帯無線端末１０２の１  ｔｉｍｅ  ｐａｓｓｗｏｒｄ保持部１０４から保持しているｐａｓｓｗｏｒｄを、赤外線ポート１０３を介して入力する。
【００４８】
ステップＳ２４３において、赤外線ドアロック１０７では、赤外線ポート１０３から入力したｐａｓｓｗｏｒｄを１  ｔｉｍｅ  ｐａｓｓｗｏｒｄ発生・保持部１０９に保持されているｐａｓｓｗｏｒｄと比較して認証を行う。
ステップＳ２４４において、上記認証で許可がされた場合には赤外線ドアロック１０７の施錠を開錠して処理を終了する。
【００４９】
ステップＳ２４６において、上記認証で、ｐａｓｓｗｏｒｄを間違えると、不許可となり、開錠が拒絶される。
ステップＳ２４７において、警備会社、警察へ通報する。
したがって、本発明によれば、開錠するためのｐａｓｓｗｏｒｄが施錠毎に変わり、第３者の不正アクセスが回避できるので、赤外線通信を利用した施錠システムに対して不正なアクセスを防御しつつ汎用な赤外線通信システムを利用することでコストを下げることができる。
【００５０】
この場合、通信ネットワーク１０１を介さないので、通信費の削減が可能になる。また、自動車の施錠の開錠にも適用可能である。
図９は本発明の第３の変形例に係る施錠システムの概略構成を示すブロック図である。本図に示すように、図４と比較して、建物１０５は通信ネットワーク１０１に接続されず、このため、建物１０５内にはサーバ１０６が設けられていない。
【００５１】
図１０は図９の携帯無線端末１０２にパスワードを入手させる動作例を説明するフローチャートである。
本図に示すように、ステップＳ２５１において、携帯無線端末１０２のＢｌｕｅｔｏｏｔｈ  ポート１１１と建物１０５内のＢｌｕｅｔｏｏｔｈ  送受信部１１２との接続を行う。
【００５２】
ステップＳ２５２において、建物１０５内のＢｌｕｅｔｏｏｔｈ  送受信部１１２では、暗証番号の入力を要求し、この要求に対して携帯無線端末１０２ではＢｌｕｅｔｏｏｔｈ  ポート１１１からＢｌｕｅｔｏｏｔｈ  送受信部１１２への暗証番号の入力が行われる。
ステップＳ２５３において、Ｂｌｕｅｔｏｏｔｈ  制御部１１４では携帯無線端末１０２からの暗証番号の認証を行う。暗証番号が不正であり、認証できない場合には処理を終了する。
【００５３】
ステップＳ２５４において、Ｂｌｕｅｔｏｏｔｈ  制御部１１４では建物１０５内の１  ｔｉｍｅ  ｐａｓｓｗｏｒｄ発生・保持部１０９に１  ｔｉｍｅ  ｐａｓｓｗｏｒｄを発生させ、保持させる。
ステップＳ２５５において、建物１０５内のＢｌｕｅｔｏｏｔｈ  送受信部１１２から携帯無線端末１０２のＢｌｕｅｔｏｏｔｈ  ポート１１１に１  ｔｉｍｅ  ｐａｓｓｗｏｒｄを通知する。
【００５４】
ステップＳ２５６において、携帯無線端末１０２では通知された１  ｔｉｍｅｐａｓｓｗｏｒｄを１  ｔｉｍｅ  ｐａｓｓｗｏｒｄ保持部１０４に保持し、この段階で上記の認証が完了する。
このようにして、携帯無線端末１０２では、建物１０５から１  ｔｉｍｅ  ｐａｓｓｗｏｒｄを入手しておく。
なお、携帯無線端末１０２により施錠を開錠する動作例は図５と同様であるので説明を省略する。
【００５５】
したがって、本発明によれば、開錠するためのｐａｓｓｗｏｒｄが施錠毎に変わり、第３者の不正アクセスが回避できるので、Ｂｌｕｅｔｏｏｔｈ通信を利用した施錠システムに対して不正なアクセスを防御しつつ汎用なＢｌｕｅｔｏｏｔｈ通信システムを利用することでコストを下げることができる。
この場合、通信ネットワーク１０１を介さないので、通信費の削減が可能になる。また、自動車の施錠の開錠にも適用可能である。
【００５６】
図１１は本発明の第４の変形例であり、図１の携帯無線端末１０２にパスワードを入手させる動作例を説明するフローチャートである。
図１の携帯無線端末１０２にパスワードを入手させる場合に、本図に示すように、ステップＳ２６１において、携帯無線端末１０２から建物１０５内のサーバ１０６にアクセスしたか否かを判断する。サーバ１０６にアクセスした場合にはステップＳ２６３に進む。
【００５７】
ステップＳ２６２において、サーバ１０６にアクセスしていない場合には携帯無線端末１０２の赤外線ポート１０３と建物１０５内の赤外線ドアロック１０７とで赤外線通信を行ったか否かを判断する。赤外線通信を行っていない場合には処理を終了する。赤外線通信を行った場合にはステップＳ２６４に進む。
ステップＳ２６３において、サーバ１０６では暗証番号の入力を要求し、携帯無線端末１０２ではこの要求に対してサーバ１０６への暗証番号の入力が行われる。
【００５８】
ステップＳ２６４において、赤外線ドアロック１０７では赤外線ポート１０３に対して暗証番号の入力を要求し、赤外線ポート１０３ではこの要求に対して赤外線ドアロック１０７への暗証番号の入力が行われる。
ステップＳ２６５において、サーバ１０６又は赤外線ドアロック１０７では携帯無線端末１０２の暗証番号の認証を行う。暗証番号が不正であり、認証できない場合には処理を終了する。
【００５９】
ステップＳ２６６において、認証でアクセスの許可がされた場合には、１  ｔｉｍｅ  ｐａｓｓｗｏｒｄ発生・保持部１０９に対して１  ｔｉｍｅ  ｐａｓｓｗｏｒｄを発生させ、保持させる。
ステップＳ２６７において、建物１０５から携帯無線端末１０２に１  ｔｉｍｅ  ｐａｓｓｗｏｒｄを通知する。
【００６０】
ステップＳ２６８において、携帯無線端末１０２では通知された１  ｔｉｍｅｐａｓｓｗｏｒｄを１  ｔｉｍｅ  ｐａｓｓｗｏｒｄ保持部１０４に保持し、この段階で上記の認証が完了する。
このようにして、選択により、通信ネットワーク１０１を介して、又は通信ネットワーク１０１を介さず直接に赤外線通信で、携帯無線端末１０２では、建物１０５から１  ｔｉｍｅ  ｐａｓｓｗｏｒｄを入手できるようにしてもよい。
【００６１】
図１２は本発明の第５の変形例であり、図４の携帯無線端末１０２にパスワードを入手させる動作例を説明するフローチャートである。
図４の携帯無線端末１０２にパスワードを入手させる場合に、本図に示すように、ステップＳ２７１において、携帯無線端末１０２から建物１０５内のサーバ１０６にアクセスしたか否かを判断する。サーバ１０６にアクセスした場合にはステップＳ２７３に進む。
【００６２】
ステップＳ２７２において、サーバ１０６にアクセスしていない場合には、携帯無線端末１０２のＢｌｕｅｔｏｏｔｈ  ポート１１１と建物１０５内のＢｌｕｅｔｏｏｔｈ  送受信部１１２とで接続が行われたか否かを判断する。上記接続を行っていない場合には処理を終了する。接続を行った場合にはステップＳ２７４に進む。
【００６３】
本図に示すステップＳ２７３〜ステップＳ２７８は図１１におけるステップＳ２６３〜ステップＳ２６８と同様であるので、それらの説明は省略する。
このようにして、選択により、通信ネットワーク１０１を介して、又は通信ネットワーク１０１を介さず直接にＢｌｕｅｔｏｏｔｈ通信で、携帯無線端末１０２では、建物１０５から１  ｔｉｍｅ  ｐａｓｓｗｏｒｄを入手できるようにしてもよい。
【００６４】
図１３は本発明の第６の変形例に係る施錠システムの概略構成を示すブロック図である。本図に示すように、図１と図４の構成を組み合わせた構成であり、携帯無線端末１０２には赤外線ポート１０３とＢｌｕｅｔｏｏｔｈ  ポート１１１とが設けられ、建物１０５Ａ内にはサーバ１０６Ａ、赤外線ドアロック１０７、インタフェース部１０８、１  ｔｉｍｅ  ｐａｓｓｗｏｒｄ発生・保持部１０９Ａが設けられ、建物１０５Ｂ内にはサーバ１０６Ｂ、Ｂｌｕｅｔｏｏｔｈ  送受信部１１２、Ｂｌｕｅｔｏｏｔｈ  ドアロック１１３、Ｂｌｕｅｔｏｏｔｈ  制御部１１４、１  ｔｉｍｅ  ｐａｓｓｗｏｒｄ発生・保持部１０９Ｂが設けられる。
【００６５】
このようにして、携帯無線端末１０２の選択により、通信ネットワーク１０１を介して、建物１０５Ａ、建物１０５Ｂのドアの開錠を行うことが可能になる。すなわち、１台の携帯無線端末１０２で通信方式が異なる建物１０５Ａ、建物１０５Ｂのドアの開錠が可能になる。
図１４は本発明の第７の変形例に係る施錠システムの概略構成を示すブロック図である。本図に示すように、図６と図９の構成を組み合わせた構成であり、携帯無線端末１０２には赤外線ポート１０３とＢｌｕｅｔｏｏｔｈ  ポート１１１とが設けられ、建物１０５Ａ内には赤外線ドアロック１０７、１  ｔｉｍｅ  ｐａｓｓｗｏｒｄ発生・保持部１０９Ａが設けられ、建物１０５Ｂ内にはＢｌｕｅｔｏｏｔｈ  送受信部１１２、Ｂｌｕｅｔｏｏｔｈ  ドアロック１１３、Ｂｌｕｅｔｏｏｔｈ  制御部１１４、１  ｔｉｍｅ  ｐａｓｓｗｏｒｄ発生・保持部１０９Ｂが設けられる。
【００６６】
このようにして、携帯無線端末１０２の選択により、通信ネットワーク１０１を介さずに直接、建物１０５Ａ、建物１０５Ｂのドアの開錠を行うことが可能になる。すなわち、１台の携帯無線端末１０２で通信方式が異なる建物１０５Ａ、建物１０５Ｂのドアの開錠が可能になる。
【００６７】
【発明の効果】
以上説明したように、本発明によれば、建物の内に位置し通信ネットワークに有線で接続されるサーバに携帯無線端末からアクセスし、アクセスに対してサーバから携帯無線端末に対して暗証番号の入力を要求し、要求に対して携帯無線端末から入力した暗証番号の認証に基づいて携帯無線端末からサーバにアクセスする許可を行い、サーバのアクセスの許可時に１  ｔｉｍｅ  ｐａｓｓｗｏｒｄを建物内で発生し保持し、発生した１  ｔｉｍｅ  ｐａｓｓｗｏｒｄを、通信ネットワークを介して携帯無線端末に通知し、通知された１  ｔｉｍｅ  ｐａｓｓｗｏｒｄを携帯無線端末で保持し、保持された１  ｔｉｍｅ  ｐａｓｓｗｏｒｄを携帯無線端末から赤外線通信で送信し、携帯無線端末から赤外線通信で受信した１  ｔｉｍｅ  ｐａｓｓｗｏｒｄと建物内に保持されている１  ｔｉｍｅ  ｐａｓｓｗｏｒｄとを比較して認証し建物のドアの開錠を行うようにしたので、開錠するためのｐａｓｓｗｏｒｄが施錠毎に変わり、第３者の不正アクセスが回避できるので、赤外線通信を利用した施錠システムに対して不正なアクセスを防御しつつ汎用な赤外線通信システムを利用することでコストを下げることができる。
【図面の簡単な説明】
【図１】本発明に係る施錠システムの概略構成を示すブロック図である。
【図２】図１の携帯無線端末１０２にパスワードを入手させる動作例を説明するフローチャートである。
【図３】図１の携帯無線端末１０２により施錠を開錠する動作例を説明するフローチャートである。
【図４】本発明の第１の変形例に係る施錠システムの概略構成を示すブロック図である。
【図５】図４の携帯無線端末１０２により施錠を開錠する動作例を説明するフローチャートである。
【図６】本発明の第２の変形例に係る施錠システムの概略構成を示すブロック図である。
【図７】図６の携帯無線端末１０２にパスワードを入手させる動作例を説明するフローチャートである。
【図８】図６の携帯無線端末１０２により施錠を開錠する動作例を説明するフローチャートである。
【図９】本発明の第３の変形例に係る施錠システムの概略構成を示すブロック図である。
【図１０】図９の携帯無線端末１０２にパスワードを入手させる動作例を説明するフローチャートである。
【図１１】本発明の第４の変形例であり、図１の携帯無線端末１０２にパスワードを入手させる動作例を説明するフローチャートである。
【図１２】本発明の第５の変形例であり、図４の携帯無線端末１０２にパスワードを入手させる動作例を説明するフローチャートである。
【図１３】本発明の第６の変形例に係る施錠システムの概略構成を示すブロック図である。
【図１４】本発明の第７の変形例に係る施錠システムの概略構成を示すブロック図である。
【図１５】従来のドアロック開閉システムを示すブロック図である。
【符号の説明】
１０１…通信ネットワーク
１０２…携帯無線装置
１０３…赤外線ポート
１０４…１  ｔｉｍｅ  ｐａｓｓｗｏｒｄ保持部
１０５、１０５Ａ、１０５Ｂ…建物
１０６、１０６Ａ、１０６Ｂ…サーバ
１０７…赤外線ドアロック
１０８…インタフェース部
１０９、１０９Ａ、１０９Ｂ…１  ｔｉｍｅ  ｐａｓｓｗｏｒｄ発生・保持部
１１１…Ｂｌｕｅｔｏｏｔｈ  ポート
１１２…Ｂｌｕｅｔｏｏｔｈ  送受信部
１１３…Ｂｌｕｅｔｏｏｔｈ  ドアロック
１１４…Ｂｌｕｅｔｏｏｔｈ  制御部
【図１】
2004293148.tif 000003
【図２】
2004293148.tif 000004
【図３】
2004293148.tif 000005
【図４】
2004293148.tif 000006
【図５】
2004293148.tif 000007
【図６】
2004293148.tif 000008
【図７】
2004293148.tif 000009
【図８】
2004293148.tif 000010
【図９】
2004293148.tif 000011
【図１０】
2004293148.tif 000012
【図１１】
2004293148.tif 000013
【図１２】
2004293148.tif 000014
【図１３】
2004293148.tif 000015
【図１４】
2004293148.tif 000016
【図１５】
2004293148.tif 000017